(57)【特許請求の範囲】
【請求項１】
管壁が三層以上の層からなる防鼠管であって、
カプサイシン類からなる鼠忌避剤を含有して合成樹脂材料により成形されてなる鼠忌避層を、前記管壁の中間層に備え、
少なくとも前記管壁の最外層および最内層は、鼠忌避剤を含有することなく前記鼠忌避層を保護する保護層からなり、
前記最外層は、合成樹脂製であって、
前記最内層は、虫忌避剤を含有してなる、防鼠管。
【請求項２】
前記最外層は、耐紫外線特性を有する、請求項１に記載の防鼠管。
【請求項３】
前記管壁には、その管壁を貫通して配線・配管材を出し入れ可能とするスリットが形成されている、請求項１または２に記載の防鼠管。
【請求項４】
前記スリットは、前記管壁に対しスパイラル状に形成される、請求項３に記載の防鼠管。
【発明の詳細な説明】
【技術分野】
【０００１】
この発明は、鼠忌避剤を含有する防鼠管に関するものである。
【背景技術】
【０００２】
従来、カプサイシン等の防鼠剤（鼠忌避剤）を含有する防鼠管は、その防鼠剤が人の目や鼻等の粘膜に刺激を与えるため、取扱いには注意が必要であった。そこで、防鼠剤を含有した内層を、防鼠剤を含有しない外層で被う、積層された防鼠管が考えられた（例えば、特許文献１参照）。
【先行技術文献】
【特許文献】
【０００３】
【特許文献１】特許第３２２３８０１号公報
【発明の概要】
【発明が解決しようとする課題】
【０００４】
しかし、前記従来の防鼠管にあっては、防鼠剤（鼠忌避剤）を含有した内層は、外層で保護されるものの、管の内面には防鼠剤が露出していた。そのため、内部に配線材や配管材を通すことにより、配線材や配管材に防鼠剤が付着し、それによって、人の手にも防鼠剤が付着する虞があった。
【０００５】
この発明は、上記した従来の欠点を解決するためになされたものであり、その目的とするところは、人の手に鼠忌避剤が付着するのを防ぐことができ、かつ、虫が侵入し難い、防鼠管を提供することにある。
【課題を解決するための手段】
【０００６】
この発明に係る防鼠管は、前記目的を達成するために、次の構成からなる。すなわち、
請求項１に記載の発明に係る防鼠管は、管壁が三層以上の層からなる防鼠管であって、カプサイシン類からなる鼠忌避剤を含有して合成樹脂材料により成形されてなる鼠忌避層を、前記管壁の中間層に備える。少なくとも前記管壁の最外層および最内層は、鼠忌避剤を含有することなく前記鼠忌避層を保護する保護層からなる。前記最外層は、合成樹脂製である。そして、前記最内層は、虫忌避剤を含有してなる。
【０００７】
この防鼠管によると、鼠忌避層が中間層に設けられ、最外層および最内層が、鼠忌避層を保護する保護層からなることで、鼠忌避層の鼠忌避剤が、人の手に付着することがない。そして、最内層は、虫忌避剤を含有するため、この防鼠管内には、虫が侵入し難い。
【０００８】
また、請求項２に記載の発明に係る防鼠管のように、請求項１に記載の防鼠管において、前記最外層は、耐紫外線特性を有するものであってもよい。これにより、防鼠管は、屋外の外光下に配設される場合であっても、防鼠管としての機能を長く維持することができる。
【０００９】
また、請求項３に記載の発明に係る防鼠管のように、請求項１または２に記載の防鼠管において、前記管壁には、その管壁を貫通して配線・配管材を出し入れ可能とするスリットが形成されてもよい。
【００１０】
また、請求項４に記載の発明に係る防鼠管のように、請求項３に記載の防鼠管において、前記スリットは、前記管壁に対しスパイラル状に形成されてもよい。
【発明の効果】
【００１１】
この発明に係る防鼠管によれば、鼠忌避層を中間層に設け、最外層および最内層を保護層とし、さらに、最内層に虫忌避剤を含有させることで、人の手に鼠忌避剤が付着するのを防ぐことができ、かつ、この防鼠管内に虫が侵入し難く、その虫が防鼠管内を通って建築物等に侵入するのを防ぐことができる。
【図面の簡単な説明】
【００１２】
【図１】この発明の一実施の形態の、防鼠管の断面図である。
【発明を実施するための形態】
【００１３】
以下、この発明に係る防鼠管を実施するための形態を図面に基づいて説明する。
【００１４】
図１は、本発明の一実施の形態を示す。図中符号１は、防鼠管を示し、この防鼠管１は、管壁１ａが三層以上の層からなる。
【００１５】
この防鼠管１は、例えば配線・配管材（配線材または配管材）を収容保護する管であって、地中に埋設されたり、コンクリート構造物内に埋設されたり、あるいは露出して配設されたりする。ここで、防鼠管１は、カプサイシン類からなる鼠忌避剤を含有してなる鼠忌避層２を、管壁１ａの中間層１ｂに備える。少なくとも管壁１ａの最外層１ｃおよび最内層１ｄは、鼠忌避剤を含有することなく鼠忌避層２を保護する保護層３、４からなる。そして、最内層１ｄは、虫忌避剤を含有している。
【００１６】
具体的には、防鼠管１は、合成樹脂製であって、可撓性を有する波付管からなる。そして、防鼠管１は、管壁１ａが三層、つまり三層管からなる。すなわち、防鼠管１は、外側から順に、最外層１ｃ（保護層３）と、中間層１ｂ（鼠忌避層２）と、最内層１ｄ（保護層４）とを備える。
【００１７】
中間層１ｂである鼠忌避層２は、例えば、鼠忌避剤（詳しくは、マイクロカプセルに封入された鼠忌避剤）が、ベースとなる塩化ビニル樹脂とかポリエチレン樹脂とかナイロン樹脂等の合成樹脂材料とともに混練されて成形される。この鼠忌避層２における鼠忌避剤の含有率は、例えば、１〜２重量％となっている。もっとも、この含有率は、この数値に限定されるわけではなく、それ以下であっても、それ以上であってもよい。
【００１８】
最外層１ｃ（保護層３）は、塩化ビニル樹脂とかポリエチレン樹脂とかナイロン樹脂等の合成樹脂製であって、耐紫外線特性を有する。詳細には、最外層１ｃは、カーボンを、好ましくは２〜５重量％含有し、これによって、最外層１ｃの材料である合成樹脂材料の耐紫外線特性が向上する。
【００１９】
最内層１ｄ（保護層４）は、例えば、鼠忌避層２の内面に、虫忌避素材が塗布されて、その虫忌避素材が硬化して被膜化されたものである。この虫忌避素材は、合成樹脂材料に虫忌避剤を混合したもの、詳細には、バインダー樹脂と揮発性溶剤と虫忌避剤（詳しくは、マイクロカプセルに封入された虫忌避剤）とを含むものであって、塗布後に、揮発性溶剤が揮発することで、虫忌避素材は、硬化して被膜化される。また、虫忌避剤の成分としては、例えば、ピレスロイド系剤、有機リン剤、カーバメート剤、ホウ素化合物、フッ素化合物などが挙げられる。
【００２０】
次に、以上の構成からなる防鼠管１の作用効果について説明する。この防鼠管１によると、鼠忌避層２が中間層１ｂに設けられ、最外層１ｃおよび最内層１ｄが、鼠忌避層２を保護する保護層３、４からなることで、鼠忌避層２の鼠忌避剤が、人の手に付着することがなく、この鼠忌避剤による人への刺激を防止することができる。そして、最内層１ｄは、虫忌避剤を含有するため、この防鼠管１内には、虫が侵入し難い。すなわち、この防鼠管１によれば、鼠忌避層２を中間層１ｂに設け、最外層１ｃおよび最内層１ｄを保護層３、４とし、さらに、最内層１ｄに虫忌避剤を含有させることで、人の手に鼠忌避剤が付着するのを防ぐことができ、かつ、この防鼠管１内に虫が侵入し難く、その虫が防鼠管１内を通って建築物等に侵入するのを防ぐことができる。
【００２１】
また、最外層１ｃは、耐紫外線特性を有する。これにより、防鼠管１は、屋外の外光下に配設される場合であっても、防鼠管１としての機能を長く維持することができる。
【００２２】
なお、本発明は、上述した実施の形態に限定されるわけではなく、その他種々の変更が可能である。例えば、防鼠管１は、波付管からなるが、この波付管は、その波を構成する凹部および凸部が、リング状に形成される以外に、螺旋状に形成されてもよい。また、この防鼠管１は、波付管でなくとも、平滑管であってもよい。
【００２３】
また、防鼠管１は、管壁１ａが三層からなるが、最外層１ｃ（保護層３）と鼠忌避層２との間、あるいは、最内層１ｄ（保護層４）と鼠忌避層２との間に、他の層を設けることで、管壁１ａが四層以上の層からなってもよい。
【００２４】
また、最外層１ｃは、耐紫外線特性を有するが、防鼠管１が配設される場所によっては、この耐紫外線特性を有しなくともよい。
【００２５】
また、最内層１ｄは、虫忌避剤を含む虫忌避素材が塗布されて形成されるが、虫忌避剤（詳しくは、マイクロカプセルに封入された虫忌避剤）が、ベースとなる合成樹脂材料（例えば、塩化ビニル樹脂とかポリエチレン樹脂とかナイロン樹脂等）とともに混練されて成形されてもよい。
【００２６】
また、管壁１ａには、その管壁１ａを貫通して配線・配管材を出し入れ可能とするスリットが形成されてもよい。そして、このスリットは、管壁１ａに対し長手方向に真直ぐ形成されてもよく、また、管壁１ａに対しスパイラル状に形成されてもよい。
【符号の説明】
【００２７】
１  防鼠管
１ａ  管壁
１ｂ  中間層
１ｃ  最外層
１ｄ  最内層
２  鼠忌避層
３  保護層
４  保護層
【図１】
0006329012.tif 000002